(57)【特許請求の範囲】
【請求項１】
容器体（Ａ）と、点鼻用ディスペンサー（Ｂ）とを備え、点鼻用ディスペンサー（Ｂ）は、容器体（Ａ）に対して着脱可能に嵌合させるとともに、上部内面部に開口させた導入口（５１）より上部外面部に開口させた不動吐出口（４９）に流路を介して連通させ、且つ、容器体（Ａ）内に垂下させたシリンダ（２０）を支持する支持体（Ｂ１）と、シリンダ（２０）内を摺動するピストン（６０）を備えて支持体（Ｂ１）に対して上方付勢状態で上下動可能に装着するとともに、押し下げによる内蔵ポンプ機構の作用で、上部側方に開口した可動吐出口（８０）より容器体（Ａ）内の液を吐出する作動部材（Ｂ２）と、不動吐出口（４９）部分に基端部を嵌合して起立した点鼻用ノズル（Ｂ３）とを備え、可動吐出口（８０）と導入口（５１）とを、作動部材（Ｂ２）の上下動時を含めて常時連通させる連通機構を備え、容器体（Ａ）に対して下降する作動部材（Ｂ２）の押し下げにより、容器体（Ａ）に対して不動状態の点鼻用ノズル（Ｂ３）からの液の噴出が可能に構成した点鼻用容器において、
上記連通機構が、導入口（５１）の下方の支持体（Ｂ１）内周面に突設した環状の下部シール片（５２）の先端縁を、対向する作動部材（Ｂ２）の外周面に液密摺動可能に嵌合させ、可動吐出口（８０）の上方の作動部材（Ｂ２）外周面に突設した環状の上部シール片（８１）の先端縁を、対向する支持体（Ｂ１）内周面に液密摺動可能に嵌合させて、下部シール片（５２）と上部シール片（８１）との間に常時可動吐出口（８０）と導入口（５１）とを連通する連通空間を画成してなる点鼻用容器。
【請求項２】
支持体（Ｂ１）の外側方に突設した支軸（４７）の端面に不動吐出口（４９）を開口し、支軸（４７）に点鼻用ノズル（Ｂ３）の縦筒部（９１）より延設した横筒部（９０）を回動可能に嵌合させて、支持体（Ｂ１）に対して点鼻用ノズル（Ｂ３）の所定回動位置での液噴出を可能に構成した請求項１に記載の点鼻用容器。
【請求項３】
点鼻用ノズル（Ｂ３）を垂直方向の３６０°の回動が可能に構成し、点鼻用ノズル（Ｂ３）の下方回動状態に於いて、点鼻用ノズル（Ｂ３）の下面に突設した係止用の突部（９３）が作動部材（Ｂ２）の上部下面に回動当接して作動部材（Ｂ２）の押し下げを防止する如く構成した請求項１に記載の点鼻用容器。
【請求項４】
支持体（Ｂ１）に位置決め用の突起（４４）を設け、点鼻用ノズル（Ｂ３）の起立状態で、点鼻用ノズル（Ｂ３）に突設した係止用の突部（９３）が位置決め用の突起（４４）と係合する如く構成した請求項１乃至請求項３のいずれか１項に記載の点鼻用容器。
【請求項５】
容器体（Ａ）が前後に長い筒状の胴部（１０）を備え、胴部（１０）上の長手方向後部位置に口頸部（１１）を起立し、点鼻用ノズル（Ｂ３）を口頸部（１１）前方位置に起立した請求項１乃至請求項４のいずれか１項に記載の点鼻用容器。
【発明の詳細な説明】
【技術分野】
【０００１】
本発明は点鼻用容器に関する。
【背景技術】
【０００２】
点鼻用容器として、鼻腔内に挿入使用するノズルを備えたポンプを、容器体に装着したものが提案されている。（例えば、特許文献１参照）
【０００３】
上記特許文献１に記載された点鼻用容器は、容器体に装着したポンプの、上下動可能に装着した作動部材の先端に、鼻腔内に挿入使用するノズルを嵌着し、作動部材を上下動させることで、容器体内の液を鼻腔内に導入する如く構成されている。作動部材の上下動は、例えばノズル周囲に突設した押釦を押下げることでの押下げと、作動部材の上方付勢力による上昇で行っている。
【先行技術文献】
【特許文献】
【０００４】
【特許文献１】特開２００８−１１４１０２号
【発明の概要】
【発明が解決しようとする課題】
【０００５】
上記特許文献１に記載された点鼻用容器は、ノズル周囲に突設した押釦を押し下げることで作用するため、使用時にノズルが鼻腔に対して上下動する。鼻腔内への液の噴出の場合には噴出口の位置が定まっている方が行い易く、また、鼻腔内でのノズルの移動による損傷等の不都合の虞もない。
【０００６】
本発明は上記した点に鑑みてなされたもので、使用時にノズルが鼻腔に対して上下動せずに液の噴出を行うことができ、取り扱い操作が簡単な点鼻用容器を提案する。
【課題を解決するための手段】
【０００７】
第１の手段として、以下の通り構成した。即ち、容器体Ａと、点鼻用ディスペンサーＢとを備え、点鼻用ディスペンサーＢは、容器体Ａに対して着脱可能に嵌合させるとともに、上部内面部に開口させた導入口５１より上部外面部に開口させた不動吐出口４９に流路を介して連通させ、且つ、容器体Ａ内に垂下させたシリンダ２０を支持する支持体Ｂ１と、シリンダ２０内を摺動するピストン６０を備えて支持体Ｂ１に対して上方付勢状態で上下動可能に装着するとともに、押し下げによる内蔵ポンプ機構の作用で、上部側方に開口した可動吐出口８０より容器体Ａ内の液を吐出する作動部材Ｂ２と、不動吐出口４９部分に基端部を嵌合して起立した点鼻用ノズルＢ３とを備え、可動吐出口８０と導入口５１とを、作動部材Ｂ２の上下動時を含めて常時連通させる連通機構を備え、容器体Ａに対して下降する作動部材Ｂ２の押し下げにより、容器体Ａに対して不動状態の点鼻用ノズルＢ３からの液の噴出が可能に構成した点鼻用容器において、
上記連通機構が、導入口５１の下方の支持体Ｂ１内周面に突設した環状の下部シール片５２の先端縁を、対向する作動部材Ｂ２の外周面に液密摺動可能に嵌合させ、可動吐出口８０の上方の作動部材Ｂ２外周面に突設した環状の上部シール片８１の先端縁を、対向する支持体Ｂ１内周面に液密摺動可能に嵌合させて、下部シール片５２と上部シール片８１との間に常時可動吐出口８０と導入口５１とを連通する連通空間を画成してなる。
【０００９】
第２の手段として、以下の通り構成した。即ち、前記第１の手段に於いて、支持体Ｂ１の外側方に突設した支軸４７の端面に不動吐出口４９を開口し、支軸４７に点鼻用ノズルＢ３の縦筒部９１より延設した横筒部９０を回動可能に嵌合させて、支持体Ｂ１に対して点鼻用ノズルＢ３の所定回動位置での液噴出を可能に構成した。
【００１０】
第３の手段として、以下の通り構成した。即ち、前記第１の手段に於いて、点鼻用ノズルＢ３を垂直方向の３６０°の回動が可能に構成し、点鼻用ノズルＢ３の下方回動状態に於いて、点鼻用ノズルＢ３の下面に突設した係止用の突部９３が作動部材Ｂ２の上部下面に回動当接して作動部材Ｂ２の押し下げを防止する如く構成した。
【００１１】
第４の手段として、以下の通り構成した。即ち、前記第１の手段乃至第４の手段のいずれかの手段に於いて、支持体Ｂ１に位置決め用の突起４４を設け、点鼻用ノズルＢ３の起立状態で、点鼻用ノズルＢ３に突設した係止用の突部９３が位置決め用の突起４４と係合する如く構成した。
【００１２】
第５の手段として、以下の通り構成した。即ち、前記第１の手段乃至第４の手段のいずれかの手段に於いて、容器体Ａが前後に長い筒状の胴部１０を備え、胴部１０上の長手方向後部位置に口頸部１１を起立し、点鼻用ノズルＢ３を口頸部１１前方位置に起立した。
【発明の効果】
【００１３】
本発明によれば、使用時に容器体Ａに対して下降させて作動部材Ｂ２を押し下げれば点鼻用ノズルＢ３は容器体に対して上下動せずに点鼻用ノズルＢ３の噴出口９７より液を噴出することができるため、鼻腔への液の噴出が的確に行えて、その使用操作も極めて簡便である。また、点鼻用ノズルＢ３が鼻腔内を上下動しないため、鼻腔内を損傷する等の虞も少ない。
【００１４】
上記連通機構が、導入口５１の下方の支持体Ｂ１内周面に突設した環状の下部シール片５２の先端縁を、対向する作動部材Ｂ２の外周面に液密摺動可能に嵌合させ、可動吐出口８０の上方の作動部材Ｂ２外周面に突設した環状の上部シール片８１の先端縁を、対向する支持体Ｂ１内周面に液密摺動可能に嵌合させて、下部シール片５２と上部シール片８１との間に常時可動吐出口８０と導入口５１とを連通する連通空間を画成してなる場合には、その部分の構造が複雑とならず、そのための特別大きな占有空間を必要とせず、しかも、液の漏洩等を確実に防止できる利点がある。
【００１５】
支持体Ｂ１の外側方に突設した支軸４７の端面に不動吐出口４９を開口し、支軸４７に点鼻用ノズルＢ３の縦筒部９１より延設した横筒部９０を回動可能に嵌合させて、支持体Ｂ１に対して点鼻用ノズルＢ３の所定回動位置での液噴出を可能に構成した場合には、点鼻用ノズルＢ３を点鼻し易い角度で使用でき、より液の噴出が行い易くなる。
【００１６】
点鼻用ノズルＢ３を垂直方向の３６０°の回動が可能に構成し、点鼻用ノズルＢ３の下方回動状態に於いて、点鼻用ノズルＢ３の下面に突設した係止用の突部９３が作動部材Ｂ２の上部下面に回動当接して作動部材Ｂ２の押し下げを防止する如く構成した場合には、不使用時には作動部材Ｂ２の押し下げを確実に防止できる、無用な液の噴出を防止できる。また、点鼻用ノズルＢ３を下方へ回動させた状態で保管できるため、コンパクトな状態での保管が可能となる。
【００１７】
支持体Ｂ１に位置決め用の突起４４を設け、点鼻用ノズルＢ３の起立状態で、点鼻用ノズルＢ３に突設した係止用の突部９３が位置決め用の突起４４と係合する如く構成した場合には、点鼻用ノズルの起立状態を確実に維持することができる利点がある。
【００１８】
容器体Ａが前後に長い筒状の胴部１０を備え、胴部１０上の長手方向後部位置に口頸部１１を起立し、点鼻用ノズルＢ３を口頸部１１前方位置に起立した場合には、点鼻用ノズルＢ３が前方へ突出状態であっても容器全体のバランスを保って安定的に載置することができる利点がある。
【図面の簡単な説明】
【００１９】
【図１】点鼻用容器の一部切欠左側面図である。（実施例１）
【図２】点鼻用容器のオーバーキャップを外した状態の平面図である。（実施例１）
【図３】点鼻用容器の連通機構部分の要部拡大断面図である。（実施例１）
【図４】点鼻用容器の液噴出時の一部切欠左側面図である。（実施例１）
【図５】点鼻用容器を使用する際の説明図である。（実施例１）
【図６】点鼻用容器の一部切欠左側面図である。（実施例２）
【図７】点鼻用容器の連通機構部分の要部拡大断面図である。（実施例２）
【図８】点鼻用容器の使用を説明する正面図である。（実施例２）
【図９】点鼻用容器の液噴出時の一部切欠左側面図である。（実施例２）
【図１０】点鼻用容器の一部切欠左側面図である。（実施例３）
【発明を実施するための形態】
【００２０】
以下、本発明の実施例の形態を図面を参照して説明する。
【００２１】
図１は本発明点鼻用容器の実施例１を示し、点鼻用容器１は、容器体Ａと、点鼻用ディスペンサーＢと、オーバーキャップＣとを備えている。
【００２２】
容器体Ａは合成樹脂製で、左側面からみた平面図の図２に示す如く前後に長い楕円筒状をなす胴部１０を備え、 胴部１０上の後部偏心位置に口頸部１１を起立して構成している。
【００２３】
点鼻用ディスペンサーＢは、支持体Ｂ１と、点鼻用ノズルＢ３と、作動部材Ｂ２とを備えている。
【００２４】
支持体Ｂ１は、容器体Ａに対して着脱可能に嵌合させるとともに、容器体Ａ内に垂下させたシリンダ２０を支持し、点鼻用ノズルＢ３を支持する。本例に於いて支持体Ｂ１は、装着筒部材Ｂ１ａと、支持筒部材Ｂ１ｂとで構成している。
【００２５】
装着筒部材Ｂ１ａは合成樹脂製で、容器体口頸部１１外周に嵌合させた第１装着筒部３０を備え、第１装着筒部３０の上部は口頸部１１上面に当接するフランジ部分を介して縮径されており、口頸部上方に起立している。また、第１装着筒部３０の外周には、第１装着筒部３０の外周下端部より延設したフランジ３１を介して第１支持筒３２を起立しており、第１支持筒３２は支持筒部材Ｂ１ｂを嵌着させるためのものである。また、第１支持筒３２の外周上下方向中間部から外方へ突設したフランジ３３を介して下方へ外周壁３４を垂設している。
【００２６】
支持筒部材Ｂ１ｂは、第１支持筒３２外周に嵌着した第２装着筒部４０の上端より内方ヘ頂板４１を延設し、頂板４１の下面より第１支持筒３２内面に嵌合する嵌合筒４２を垂設するとともに、上面より第２支持筒４３を起立している。頂板４１の上面には点鼻用ノズルＢ３の所定起立位置を決定するための位置決め用の突起４４を突設している。また、第２支持筒４３の内周面より連結壁４５を介して、第２支持筒４３と二重筒状に摺動用壁４６を立設している。第２支持筒４３の前部には支軸４７を突設している。支軸４７には横筒状の切溝４８を穿設し、切溝４８の先端を支軸４７の端面に開口する不動吐出口４９として開口している。また、切溝４８の下部後端と摺動用壁４６内面とを連通する流路５０を連結壁４５中央部に穿設し、摺動用壁４６内面に導入口５１として開口している。これにより摺動用壁４６内と支軸４７外面とを、導入口５１、流路５０、切溝４８、不動吐出口４９を介して連通させている。また、摺動用壁４６の内面下部には作動部材Ｂ２外面と液密摺動する環状の下部シール片５２を突設している。
【００２７】
シリンダ２０は、上端部に突設したフランジ２１を第１装着筒部３０の縮径部分下部内周に嵌着して容器体Ａ内に垂下させており、フランジ２１の下面をパッキンｐを介して口頸部１１上面に液密に圧接している。また、下端部にはパイプ２２を嵌着してその下端を容器体Ａ内底部に垂下させ、パイプ２２上方の内部底部には吸込み弁２３を設けている。更に、吸込み弁２３の上部には、シリンダ２０内の整流作用を行う棒体２４を、液の流通が可能に起立している。棒体２４は、シリンダ２０内底部に嵌着した周方向複数のリブを棒状主体の外周下端部より突設しており、下面により吸込み弁２３を構成する玉状弁体の上下動を規制している。
【００２８】
作動部材Ｂ２は、シリンダ２０に対して上方付勢状態で上下動可能に装着されたもので、押下げにより容器体Ａ内の液を上部の可動吐出口８０より吐出するポンプ機構を備えている。図示例では、ステムＢ２ａと、ピストン部材Ｂ２ｂと、シリンダ部材Ｂ２ｃと、第１流路形成部材Ｂ２ｄと、第２流路形成部材Ｂ２ｅと、押釦Ｂ２ｆとを備えている。
【００２９】
ステムＢ２ａは、下部外周に環状の小径のピストン６０を突設し、上部が閉塞された筒状をなし、図３の要部拡大図に示す如く、上端を吐出弁体６１として構成している。
【００３０】
ピストン部材Ｂ２ｂは、図３の要部拡大図で示す如く、ステムＢ２ａの外周上部に嵌合させたピストンロッド６４の外面より、小径のピストン６０より大径の環状のピストン６５を突設し、ピストンロッド６４の下部はステムＢ２ａ外周に液密に嵌着し、上部は隙間をあけて嵌合しており、ステムＢ２ａの筒状部分上端に穿設した透孔６２を介して上記隙間と連通させ、その結果、容器体Ａ内からステムＢ２ａ内、透孔６２、隙間を介して大径のピストン６５上方に連通する連通路を形成している。
【００３１】
シリンダ部材Ｂ２ｃは、図３の要部拡大図で示す如く、大径のピストン６５が摺動する大径のシリンダ６６を頂板６７の裏面より垂設し、頂板６７の中央には吐出弁体６１により閉塞される吐出弁孔６８が穿設され、ここに吐出弁を形成している。また、頂板６７上には第３支持筒６９を起立している。
【００３２】
第１流路形成部材Ｂ２ｄは、第２流路形成部材Ｂ２ｅとで吐出弁孔６８から可動吐出口８０に至る流路を形成するもので、第３支持筒６９の内周に液密に下部を嵌着させた内周壁７２の上端よりフランジ７３を介して第３支持筒６９の外周に液密に下部を嵌着させた外周壁７４を備えている。また、内周壁７２の上端部は外方へ拡径し、その内面に凹部７５を形成している。
【００３３】
第２流路形成部材Ｂ２ｅは、図３の要部拡大図に示す如く、頂板７７裏面中央より垂設した軸体７８の外周上端部に周方向複数縦突設した係合リブ７９の各外面を、上記凹部７５に嵌合させて第１流路形成部材Ｂ２ｄに嵌着している。また、軸体７８と第１流路形成部材Ｂ２ｄの内周壁７２との間、頂板７７と第２流路形成部材Ｂ２ｅのフランジ７３との間にはそれぞれ隙間をあけて、吐出弁孔６８から外周壁７４の上端部に開口する可動吐出口８０に至る流路を形成している。また、頂板７７外周縁より、摺動用壁４６の内周面に液密摺動可能に嵌合させた環状の上部シール片８１を突設している。更に、頂板７７上面からは第４支持筒８２を立設している。
【００３４】
本発明では可動吐出口８０と導入口５１とを、作動部材Ｂ２の上下動時を含めて常時連通させる連通機構を備え、作動部材Ｂ２の押し下げにより点鼻用ノズルＢ３からの液の噴出が可能に構成している。本例に於ける連通機構は、環状の下部シール片５２の先端縁を、対向する作動部材Ｂ２の外周面である第１流路形成部材の外周壁７４外周面に液密摺動可能に嵌合させ、環状の上部シール片８１の先端縁を、対向する支持体Ｂ１内周面である支持筒部材Ｂ１ｂの内周面に液密摺動可能に嵌合させて、下部シール片５２と上部シール片８１との間に常時可動吐出口８０と導入口５１とを連通する連通空間を画成している。従って、図４に示す如く、作動部材Ｂ２を最下降まで押し下げた状態でも連通する如く構成している。
【００３５】
押釦Ｂ２ｆは、図３の要部拡大図に示す如く、頂壁８５裏面より垂設した嵌着筒８６を第４支持筒８２の外周に嵌着させて第２流路形成部材Ｂ２ｅに嵌着させている。また、頂壁８５の周縁部より垂設した周壁８７の下端を、摺動用壁４６と支持筒部材Ｂ１ｂの第２支持筒４３との間に垂下させ、押し下げが可能に嵌着している。また、周壁８７の外周下端部に突設した係合突条を第２支持筒４３の内周上端部に突周設した係止突条と係合させて上方への抜け出しを防止している。
【００３６】
上記作動部材Ｂ２は、コイルスプリングｓにより常時上方に付勢されている。そして、押釦Ｂ２ｆを押して作動部材Ｂ２を押し下げると、大径のピストン６５と小径のピストン６０との径差で生じる圧力により吐出弁体６１が上流側に押圧されてコイルスプリングｓの付勢力に抗して吐出弁が開き加圧液がその下流に導入される。
【００３７】
点鼻用ノズルＢ３は、下部材Ｂ３ａと、上部材Ｂ３ｂとを備え、下部材Ｂ３ａは、支軸４７外周に液密回動可能に嵌合させた横筒部９０と、横筒部９０の先端に内部を連通して起立した縦筒部９１とからなるＬ字筒状をなしている。また、下面に突設した位置決め用の突条９２を、支持筒部材Ｂ１ｂの頂板４１上の位置決め用の突起４４と係合した状態で垂直に起立する如く構成している。上部材Ｂ３ｂは、下部材Ｂ３ａの縦筒部９１外周上部に下端部を液密に嵌着した中央筒部９５を頂板９６の裏面より垂設し、頂板９６の中央に噴出口９７を開口している。また、頂板９６周縁部からは下方にいくに従った拡径する外周壁９８を垂設している。中央筒部９５内上端部には噴霧用のスピン部材９９を嵌着している。
【００３８】
オーバーキャップＣは、容器体Ａの胴部１０外周に下端部を嵌合して着脱自在に装着している。
【００３９】
上記の如く構成された点鼻用容器１を使用する場合について説明する。図１の状態からオーバーキャップＣを外し、図５に示す如く、点鼻用ノズルＢ３を鼻腔１００より挿入した後、押釦Ｂ２ｆを押し下げれば所定量の液が点鼻用ノズルＢ３の噴出口９７より鼻腔内に噴出される。
【００４０】
図６乃至図９は実施例２を示し、本例では点鼻用ノズルＢ３が３６０°回動可能に設けられた例を示す。本例では、図１の例に於いて、位置決め用の突条９２に換えて、横筒部９０の下面に係止用の突部９３を突設している。また、押釦Ｂ２ｆの頂壁８５縁部を外方へ延設し、その周縁部より係合筒８８を垂設している。更に、支持筒部材Ｂ１ｂの頂板４１上面の位置決め用の突起４４に換えて、係止用の突部９３が乗り越え可能な位置決め用の突起４４ａを突設している。この場合には、図６に示す如く、点鼻用ノズルＢ３を下向きに回動させた際に、係合筒８８の下面に係止用の突部９３が当接し、作動部材Ｂ２の押し下げができない。また、その状態でのオーバーキャップＣの被覆が可能に構成されている。また、使用時には、図９に示す如く、点鼻用ノズルＢ３を起立すると係止用の突部９３が位置決め用の突起４４ａと係合して容易な位置決めができるのは同じであるが、係止用の突部９３が位置決め用の突起４４ａを乗り越えが可能に構成しており、点鼻用ノズルＢ３の何方からの回動も可能に構成している。
【００４１】
また、図８に二点鎖線で示す如く、任意の回動位置で点鼻用ノズルＢ３を係止させての点鼻が可能に構成している。この様な構成は実施例１の場合にも適用できるが、その場合には、位置決め用の突起４４と反対側（図１の例では左方）への傾倒のみが可能となる。その他の構成及び作用は実施例１と実質的に同様であるため、同符号を付して説明を省略する。
【００４２】
図１０は実施例３を示し、実施例２に於いて、オーバーキャップＣの形態を相違した例を示す。本例では、オーバーキャップＣ１が容器体Ａに嵌合させたものではなく点鼻用ノズルＢ３に嵌合させたものである。その他の構成及び作用は実施例２と実質的に同様であるため、同符号を付して説明を省略する。
【符号の説明】
【００４３】
１：点鼻用容器
Ａ：容器体
１０…胴部、１１…口頸部
Ｂ：点鼻用ディスペンサー
Ｂ１：支持体
２０…シリンダ、２１…フランジ、２２…パイプ、２３…吸込み弁、２４…棒体
Ｂ１ａ…装着筒部材
３０…第１装着筒部、３１…フランジ、３２…第１支持筒、３３…フランジ、
３４…外周壁
Ｂ１ｂ：支持筒部材
４０…第２装着筒部、４１…頂板、４２…嵌合筒、４３…第２支持筒、
４４…位置決め用の突起、４４ａ…位置決め用の突起、４５…連結壁、４６…摺動用壁、４７…支軸、４８…切溝、４９…不動吐出口、５０…流路、５１…導入口、
５２…下部シール片
Ｂ２：作動部材
Ｂ２ａ：ステム
６０…小径のピストン、６１…吐出弁体、６２…透孔
Ｂ２ｂ：ピストン部材
６４…ピストンロッド、６５…大径のピストン
Ｂ２ｃ：シリンダ部材
６６…大径のシリンダ、６７…頂板、６８…吐出弁孔、６９…第３支持筒
Ｂ２ｄ：第１流路形成部材
７２…内周壁、７３…フランジ、７４…外周壁、７５…凹部
Ｂ２ｅ：第２流路形成部材
７７…頂板、７８…軸体、７９…係合リブ、８０…可動吐出口、８１…上部シール片、
８２…第４支持筒
Ｂ２ｆ：押釦
８５…頂壁、８６…嵌着筒、８７…周壁、８８…係合筒
Ｂ３：点鼻用ノズル
Ｂ３ａ：下部材
９０…横筒部、９１…縦筒部、９２…位置決め用の突条、９３…係止用の突部
Ｂ３ｂ：上部材
９５…中央筒部、９６…頂板、９７…噴出口、９８…外周壁、９９…スピン部材
Ｃ：オーバーキャップ
ｐ：パッキン
ｓ：コイルスプリング
【図１】
0005683018.tif 000002
【図２】
0005683018.tif 000003
【図３】
0005683018.tif 000004
【図４】
0005683018.tif 000005
【図５】
0005683018.tif 000006
【図６】
0005683018.tif 000007
【図７】
0005683018.tif 000008
【図８】
0005683018.tif 000009
【図９】
0005683018.tif 000010
【図１０】
0005683018.tif 000011